【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
メタデータをデータ格納システムに格納すること、
前記データ格納システムに格納された複数のメタデータオブジェクトの各々の１つ以上の特徴を特定する要約データを計算すること、
所与のメタデータオブジェクトに関連付けて同所与のメタデータオブジェクトを特徴付ける前記要約データを格納すること、及び、
前記所与のメタデータオブジェクトの少なくとも３つの性状を説明する線図の視覚的表現を発生すること、を含む方法であって、
前記少なくとも３つの性状は、
前記所与のメタデータオブジェクトと他のメタデータオブジェクトとの間の関係であって前記他のメタデータオブジェクトを表す複数のノードと前記所与のメタデータオブジェクトを表すノードとの間に表される関係、
前記所与のメタデータオブジェクトのコンテクストであって同コンテクストに基くグループ内に示される前記所与のメタデータオブジェクトを伴うコンテクスト、及び、
前記所与のメタデータオブジェクトを特徴付ける前記要約データにより特定される特徴、を含み、
前記視覚的表現を発生することは、
前記特徴の表現を前記所与のメタデータオブジェクトを表すノードの近傍に重ねることを含む方法。
【請求項２】
前記表現は、前記メタデータオブジェクトの質を表す請求項１に記載の方法。
【請求項３】
前記表現は、前記メタデータオブジェクトが最近更新されたか否かを表す請求項１に記載の方法。
【請求項４】
前記表現は、前記メタデータオブジェクトが最後に更新されたソースを表す請求項１に記載の方法。
【請求項５】
前記表現は、同表現を分類する凡例と関連付けられる請求項１に記載の方法。
【請求項６】
カーソルを前記視覚的表現の上でうろつかせることにより前記表現に関係した情報を含むウィンドウを発生する請求項１に記載の方法。
【請求項７】
前記表現は、ユーザによって選択可能な特徴を表す請求項１に記載の方法。
【請求項８】
メタデータをデータ格納システムに格納する手段と、
前記データ格納システムに格納された複数のメタデータオブジェクトの各々の１つ以上の特徴を特定する要約データを計算する手段と、
所与のメタデータオブジェクトに関連付けて同所与のメタデータオブジェクトを特徴付ける前記要約データを格納する手段と、
前記所与のメタデータオブジェクトの少なくとも３つの性状を説明する線図の視覚的表現を発生すること、を含むシステムであって、
前記少なくとも３つの性状は、
前記所与のメタデータオブジェクトと他のメタデータオブジェクトとの間の関係であって前記他のメタデータオブジェクトを表す複数のノードと前記所与のメタデータオブジェクトを表すノードとの間に表される関係、
前記所与のメタデータオブジェクトのコンテクストであって同コンテクストに基くグループ内に示される前記所与のメタデータオブジェクトを伴うコンテクスト、及び、
前記所与のメタデータオブジェクトを特徴付ける前記要約データにより特定される特徴、を含み、
前記視覚的表現を発生することは、
前記特徴の表現を前記所与のメタデータオブジェクトを表すノードの近傍に重ねることを含むシステム。
【請求項９】
メタデータをデータ格納システムに格納し、
前記データ格納システムに格納された複数のメタデータオブジェクトの各々の１つ以上の特徴を特定する要約データを計算し、
所与のメタデータオブジェクトに関連付けて同所与のメタデータオブジェクトを特徴付ける前記要約データを格納し、
前記所与のメタデータオブジェクトの少なくとも３つの性状を説明する線図の視覚的表現を発生するように構成されたコンピュータシステムであって、
前記少なくとも３つの性状は、
前記所与のメタデータオブジェクトと他のメタデータオブジェクトとの間の関係であって前記他のメタデータオブジェクトを表す複数のノードと前記所与のメタデータオブジェクトを表すノードとの間に表される関係、
前記所与のメタデータオブジェクトのコンテクストであって同コンテクストに基くグループ内に示される前記所与のメタデータオブジェクトを伴うコンテクスト、及び、
前記所与のメタデータオブジェクトを特徴付ける前記要約データにより特定される特徴、を含み、
前記視覚的表現を発生することは、
前記特徴の表現を前記所与のメタデータオブジェクトを表すノードの近傍に重ねることを含むコンピュータシステム。
【請求項１０】
コンピュータプログラムを格納するコンピュータ読み出し可能媒体であって、実行可能な命令を含む前記コンピュータプログラムは、コンピュータに、
メタデータをデータ格納システムに格納させ、
前記データ格納システムに格納された複数のメタデータオブジェクトの各々の１つ以上の特徴を特定する要約データを計算させ、
所与のメタデータオブジェクトに関連付けて同所与のメタデータオブジェクトを特徴付ける前記要約データを格納させ、
前記所与のメタデータオブジェクトの少なくとも３つの性状を説明する線図の視覚的表現を発生させる命令を含み、
前記少なくとも３つの性状は、
前記所与のメタデータオブジェクトと他のメタデータオブジェクトとの間の関係であって前記他のメタデータオブジェクトを表す複数のノードと前記所与のメタデータオブジェクトを表すノードとの間に表される関係、
前記所与のメタデータオブジェクトのコンテクストであって同コンテクストに基くグループ内に示される前記所与のメタデータオブジェクトを伴うコンテクスト、及び、
前記所与のメタデータオブジェクトを特徴付ける前記要約データにより特定される特徴、を含み、
前記視覚的表現を発生させることは、
前記特徴の表現を前記所与のメタデータオブジェクトを表すノードの近傍に重ねることを含む、コンピュータ読み出し可能媒体。
【請求項１１】
請求項１に記載の方法であって、さらに、ユーザからの選択を受けて前記要約データによって特定された複数の特徴のうちのいずれが、その表現が前記所与のメタデータオブジェクトを表すノードの近傍に重ねられる特徴であるかを決定することを含む方法。
【請求項１２】
前記表現は、前記メタデータオブジェクトの質を表す請求項８に記載のシステム。
【請求項１３】
前記表現は、前記メタデータオブジェクトが最近更新されたか否かを表す請求項８に記載のシステム。
【請求項１４】
前記表現は、前記メタデータオブジェクトが最後に更新されたソースを表す請求項８に記載のシステム。
【請求項１５】
前記表現は、同表現を分類する凡例と関連付けられる請求項８に記載のシステム。
【請求項１６】
カーソルを前記視覚的表現の上でうろつかせることにより前記表現に関係した情報を含むウィンドウを発生する請求項８に記載のシステム。
【請求項１７】
前記表現は、ユーザによって選択可能な特徴を表す請求項８に記載のシステム。
【請求項１８】
前記要約データによって特定された複数の特徴のうちのいずれが、該表現が前記所与のメタデータオブジェクトを表すノードの近傍に重ねられる特徴であるかを決定するために、ユーザからの選択を受ける手段をさらに含む、請求項８に記載のシステム。
【請求項１９】
前記表現は、前記メタデータオブジェクトの質を表す請求項９に記載のコンピュータシステム。
【請求項２０】
前記表現は、前記メタデータオブジェクトが最近更新されたか否かを表す請求項９に記載のコンピュータシステム。
【請求項２１】
前記表現は、前記メタデータオブジェクトが最後に更新されたソースを表す請求項９に記載のコンピュータシステム。
【請求項２２】
前記表現は、同表現を分類する凡例と関連付けられる請求項９に記載のコンピュータシステム。
【請求項２３】
カーソルを前記視覚的表現の上でうろつかせることにより前記表現に関係した情報を含むウィンドウを発生する請求項９に記載のコンピュータシステム。
【請求項２４】
前記表現は、ユーザによって選択可能な特徴を表す請求項９に記載のコンピュータシステム。
【請求項２５】
前記要約データによって特定された複数の特徴のうちのいずれが、該表現が前記所与のメタデータオブジェクトを表すノードの近傍に重ねられる特徴であるかを決定するために、ユーザからの選択を受けるように、さらに構成される、請求項９に記載のコンピュータシステム。
【請求項２６】
前記表現は、前記メタデータオブジェクトの質を表す請求項１０に記載のコンピュータ読み出し可能媒体。
【請求項２７】
前記表現は、前記メタデータオブジェクトが最近更新されたか否かを表す請求項１０に記載のコンピュータ読み出し可能媒体。
【請求項２８】
前記表現は、前記メタデータオブジェクトが最後に更新されたソースを表す請求項１０に記載のコンピュータ読み出し可能媒体。
【請求項２９】
前記表現は、同表現を分類する凡例と関連付けられる請求項１０に記載のコンピュータ読み出し可能媒体。
【請求項３０】
カーソルを前記視覚的表現の上でうろつかせることにより前記表現に関係した情報を含むウィンドウを発生する請求項１０に記載のコンピュータ読み出し可能媒体。
【請求項３１】
前記表現は、ユーザによって選択可能な特徴を表す請求項１０に記載のコンピュータ読み出し可能媒体。
【請求項３２】
コンピュータに、前記要約データによって特定された複数の特徴のうちのいずれが、該表現が前記所与のメタデータオブジェクトを表すノードの近傍に重ねられる特徴であるかを決定するために、ユーザからの選択を受けさせる実行可能命令をさらに含む、請求項１０に記載のコンピュータ読み出し可能媒体。